(57)【要約】【課題】  テレビ電話の演出効果を高める。【解決手段】  テレビ電話中に操作キーの押下を検出すると（Ｓ１）、入力された操作キーに対応するアイコンデータと音声データを取得し（Ｓ４）、カメラ画像とアイコンデータを画像合成するとともに入力音声と音声データを合成する（Ｓ５）。これにより、相手端末には、例えば、送信者の感情表現を表すアイコンデータがカメラ画像とともに合成されて送信されるため、テレビ電話通信の演出効果をより高めることができる。【選択図】    図１１
2005079882.tif 000002
【特許請求の範囲】
【請求項１】
カメラで撮影したカメラ画像を相手端末との間で送受信することによりテレビ電話通話を行う動画像双方向通信端末であって、
通話者が入力操作を行うための操作キーと、
複数種類の前景画を前記操作キーの種別、入力回数、又は入力順序のうち何れか一つ又はこれらの組み合わせに関連付けて記憶する記憶手段と、
前記通話者が前記操作キーの入力操作を行った場合に、入力操作に対応する前景画を前記記憶手段から読み出す制御手段と、
前記制御手段によって読み出された前景画と、テレビ電話通話中に前記カメラによって撮影されたカメラ画像をリアルタイム画像合成する画像合成手段と、
前記操作キーが入力されてから所定時間の間に前記画像合成手段が生成する合成画像を前記相手端末に送信するとともに、前記所定時間経過後は前記カメラで撮影したカメラ画像を前記相手端末に送信する送信手段を備える、動画像双方向通信端末。
【請求項２】
カメラで撮影したカメラ画像を相手端末との間で送受信することによりテレビ電話通話を行う動画像双方向通信端末であって、
通話者が入力操作を行うための操作キーと、
複数種類の前景画を前記操作キーの種別、入力回数、又は入力順序のうち何れか一つ又はこれらの組み合わせに関連付けて記憶する記憶手段と、
前記通話者が前記操作キーの入力操作を行った場合に、入力操作に対応する前景画を前記記憶手段から読み出す制御手段と、
前記制御手段によって読み出された前景画と、テレビ電話通話中に前記カメラによって撮影されたカメラ画像をリアルタイム画像合成する画像合成手段と、
前記操作キーの入力が保持されている間は前記画像合成手段が生成する合成画像を前記相手端末に送信するとともに、前記操作キーの入力が解除された後は前記カメラで撮影したカメラ画像を前記相手端末に送信する送信手段を備える、動画像双方向通信端末。
【請求項３】
請求項１に記載の動画像双方向通信端末であって、
前記画像合成手段は、同一の操作キーが所定時間内に再入力された場合には、再入力以前の入力操作に対応する前景画とカメラ画像のリアルタイム画像合成を中止し、再入力操作に対応する前景画とカメラ画像のリアルタイム画像合成を行う、動画像双方向通信端末。
【請求項４】
発呼端末と、被呼端末と、前二者のテレビ電話通信を仲介する中継サーバと、を含むテレビ電話システムであって、
前記発呼端末と前記被呼端末のうち少なくとも何れか一方は、
ムービー画像を記憶する画像メモリと、
前記画像メモリに記憶されたムービー画像を読み出してこれを相手端末に送信する送信手段を備え、
前記中継サーバは、
前記発呼端末と前記被呼端末の回線接続が確立した後に、前記発呼端末と前記被呼端末との間のテレビ電話通話に先立って、前記発呼端末と前記被呼端末のうち少なくとも何れか一方から相手端末に送信されるムービー画像を中継する、テレビ電話システム。
【請求項５】
発呼端末と、被呼端末と、前二者のテレビ電話通信を仲介する中継サーバと、を含むテレビ電話システムであって、
前記発呼端末と前記被呼端末のうち少なくとも何れか一方は、
ムービー画像を記憶する画像メモリと、
前記画像メモリに記憶されたムービー画像を読み出してこれを相手端末に送信する送信手段を備え、
前記中継サーバは、
前記発呼端末と前記被呼端末の回線接続が開始されてから回線接続が完了するまでの間に、前記発呼端末と前記被呼端末との間のテレビ電話通話に先立って、前記発呼端末と前記被呼端末のうち少なくとも何れか一方から相手端末に送信されるムービー画像を中継する、テレビ電話システム。
【請求項６】
発呼端末と、被呼端末と、前二者のテレビ電話通信を仲介する中継サーバと、を含むテレビ電話システムであって、
前記発呼端末と前記被呼端末のうち少なくとも何れか一方は、
ムービー画像を記憶する画像メモリと、
前記画像メモリに記憶されたムービー画像を読み出してこれを相手端末に送信する送信手段を備え、
前記中継サーバは、
前記発呼端末の発呼操作を検出してから前記発呼端末と前記被呼端末の回線接続が開始されるまでの間に、前記発呼端末と前記被呼端末との間のテレビ電話通話に先立って、前記発呼端末と前記被呼端末のうち少なくとも何れか一方から相手端末に送信されるムービー画像を中継する、テレビ電話システム。
【請求項７】
発呼端末と、被呼端末と、前二者のテレビ電話通信を仲介する中継サーバと、を含むテレビ電話システムであって、
前記中継サーバは、
発呼者又は被呼者によって設定された個人属性と、前記個人属性に対応した動画広告を記憶する記憶手段と、
前記発呼端末と前記被呼端末との間の回線接続が完了した後に、前記発呼端末と前記被呼端末のうち少なくとも何れか一方に発呼者又は被呼者の個人属性に対応した動画広告を配信する配信手段を備える、テレビ電話システム。
【請求項８】
発呼端末と、被呼端末と、前二者のテレビ電話通信を仲介する中継サーバと、を含むテレビ電話システムであって、
前記中継サーバは、
発呼者又は被呼者によって設定された個人属性と、前記個人属性に対応した動画広告を記憶する記憶手段と、
前記発呼端末と前記被呼端末との間の回線接続を開始してから回線接続が完了する迄の間に、前記発呼端末と前記被呼端末のうち少なくとも何れか一方に発呼者又は被呼者の個人属性に対応した動画広告を配信する配信手段を備える、テレビ電話システム。
【請求項９】
発呼端末と、被呼端末と、前二者のテレビ電話通信を仲介する中継サーバと、を含むテレビ電話システムであって、
前記中継サーバは、
発呼者又は被呼者によって設定された個人属性と、前記個人属性に対応した動画広告を記憶する記憶手段と、
発呼操作が検出されてから前記発呼端末と前記被呼端末との間の回線接続が開始される迄の間に、前記発呼端末と前記被呼端末のうち少なくとも何れか一方に発呼者又は被呼者の個人属性に対応した動画広告を配信する配信手段を備える、テレビ電話システム。
【請求項１０】
カメラで撮影したカメラ画像を相手端末との間で送受信することによりテレビ電話通話を行う方法を動画像双方向通信端末に実行させるためのコンピュータプログラムであって、
通話者が操作キーの入力操作を行った場合に、入力された操作キーの種別、入力回数、又は入力順序のうち何れか一つ又はこれらの組み合わせに関連付けて記憶する記憶手段を備えた動画像双方向通信端末に、
通話者が操作キーの入力操作を行った場合に、入力操作に対応する前景画を前記記憶手段から読み出すステップと、
前記操作キーが入力されてから所定時間の間に前記カメラで撮影されたカメラ画像と前記記憶手段から読み出された前景画をリアルタイム画像合成して相手端末に送信するステップと、
前記所定時間経過後は前記カメラで撮影されたカメラ画像を前記相手端末に送信するステップと、
を実行させるためのコンピュータプログラム。
【請求項１１】
カメラで撮影したカメラ画像を相手端末との間で送受信することによりテレビ電話通話を行う方法を動画像双方向通信端末に実行させるためのコンピュータプログラムであって、
通話者が操作キーの入力操作を行った場合に、入力された操作キーの種別、入力回数、又は入力順序のうち何れか一つ又はこれらの組み合わせに関連付けて記憶する記憶手段を備えた動画像双方向通信端末に、
通話者が操作キーの入力操作を行った場合に、入力操作に対応する前景画を前記記憶手段から読み出すステップと、
前記操作キーの入力が保持されている間は前記カメラで撮影したカメラ画像と前記記憶手段から読み出された前景画をリアルタイム画像合成して相手端末に送信するステップと、
前記操作キーの入力が解除された後は前記カメラで撮影されたカメラ画像を前記相手端末に送信するステップと、
を実行させるためのコンピュータプログラム。
【請求項１２】
請求項１０に記載のコンピュータプログラムであって、
同一の操作キーが所定時間内に再入力された場合には、再入力以前の入力操作に対応する前景画とカメラ画像のリアルタイム画像合成を中止するとともに、再入力操作に対応する前景画とカメラ画像のリアルタイム画像合成を行うステップを前記動画像双方向通信端末に実行させる、コンピュータプログラム。
【請求項１３】
発呼端末と被呼端末のテレビ電話通信を仲介する中継サーバに、
前記発呼端末の発呼要求に応答して前記発呼端末と前記被呼端末の回線接続を開始するステップと、
前記発呼端末と前記被呼端末の回線接続が確立した後に、前記発呼端末と前記被呼端末との間のテレビ電話通話に先立って、前記発呼端末と前記被呼端末のうち少なくとも何れか一方から相手端末に送信されるムービー画像の送信を中継するステップと、
を実行させるためのコンピュータプログラム。
【請求項１４】
発呼端末と被呼端末のテレビ電話通信を仲介する中継サーバに、
前記発呼端末の発呼要求に応答して前記発呼端末と前記被呼端末の回線接続を開始するステップと、
前記発呼端末と前記被呼端末の回線接続が開始されてから回線接続が完了するまでの間に、前記発呼端末と前記被呼端末との間のテレビ電話通話に先立って、前記発呼端末と前記被呼端末のうち少なくとも何れか一方から相手端末に送信されるムービー画像の送信を中継するステップと、
を実行させるためのコンピュータプログラム。
【請求項１５】
発呼端末と被呼端末のテレビ電話通信を仲介する中継サーバに、
前記発呼端末の発呼要求を検出するステップと、
前記発呼端末の発呼操作を検出してから前記発呼端末と前記被呼端末の回線接続が開始されるまでの間に、前記発呼端末と前記被呼端末との間のテレビ電話通話に先立って、前記発呼端末と前記被呼端末のうち少なくとも何れか一方から相手端末に送信されるムービー画像の送信を中継するステップと、
を実行させるためのコンピュータプログラム。
【請求項１６】
発呼者又は被呼者によって設定された個人属性と、前記個人属性に対応する動画広告を記憶しており、発呼端末と被呼端末と間のテレビ電話通信を仲介する中継サーバに、
前記発呼端末の発呼要求を検出するステップと、
前記発呼要求を検出した場合に、前記発呼端末と前記被呼端末との間の回線接続が完了した後に、前記発呼端末と前記被呼端末のうち少なくとも何れか一方に発呼者又は被呼者の個人属性に対応した動画広告を配信するステップと、
を実行させるためのコンピュータプログラム。
【請求項１７】
発呼者又は被呼者によって設定された個人属性と、前記個人属性に対応する動画広告を記憶しており、発呼端末と被呼端末と間のテレビ電話通信を仲介する中継サーバに、
前記発呼端末の発呼要求を検出するステップと、
前記発呼要求を検出した場合に、前記発呼端末と前記被呼端末との間の回線接続を開始してから回線接続が完了する迄の間に、前記発呼端末と前記被呼端末のうち少なくとも何れか一方に発呼者又は被呼者の個人属性に対応した動画広告を配信するステップと、
を実行させるためのコンピュータプログラム。
【請求項１８】
発呼者又は被呼者によって設定された個人属性と、前記個人属性に対応する動画広告を記憶しており、発呼端末と被呼端末と間のテレビ電話通信を仲介する中継サーバに、
前記発呼端末の発呼要求を検出するステップと、
前記発呼要求を検出した場合に、発呼操作が検出されてから前記発呼端末と前記被呼端末との間の回線接続が開始される迄の間に、前記発呼端末と前記被呼端末のうち少なくとも何れか一方に発呼者又は被呼者の個人属性に対応した動画広告を配信するステップと、
を実行させるためのコンピュータプログラム。
【発明の詳細な説明】
【技術分野】
【０００１】
本発明は動画像双方向通信端末に関し、特に、テレビ電話機能の多機能化を実現するための改良技術に関する。
【背景技術】
【０００２】
Ｗ−ＣＤＭＡは世界の標準化機関で決定された第３世代移動通信方式の一方式であり、高速データ通信、高品質な音声通信、テレビ電話機能などを特徴としている。例えば、特開２００１−２８５４３６号公報にはカメラユニットで撮影した被写体の動画データと、マイクから入力された音声データを双方向に送受信できるテレビ電話機能を搭載した携帯端末装置が提案されている。
【特許文献１】特開２００１−２８５４３６号公報
【発明の開示】
【発明が解決しようとする課題】
【０００３】
しかし、現状のテレビ電話サービスにおいては発呼者が被呼者への接続リクエストを要求した場合に、端末間のコネクションは直ちには完了せず、テレビ電話通信が可能になるにはある程度の接続時間を要する。この接続時間の間、表示部には「ＴＶ電話着信中」などの文字が表示され、携帯端末装置と中継サーバ等の間で所定の通信プロトコルに準じたコネクションの確立が行われている最中であることを示している。この接続時間が数秒以上にわたる場合には、「ＴＶ電話着信中」などの文字を表示部に表示する代わりに、個性的な映像などを表示することでテレビ電話の演出効果をより高めることができると考えられる。
【０００４】
また、テレビ電話を保留する場合にも、単に保留中であることを表示するだけでは面白みに欠けるため、個性的な映像などを表示することでテレビ電話の演出効果をより高めることができると考えられる。
【０００５】
そこで、本発明はテレビ電話機能の演出効果を高めることのできる動画像双方向通信端末、テレビ電話システム及びコンピュータプログラムを提案することを課題とする。
【課題を解決するための手段】
【０００６】
上記の課題を解決するため、本発明の動画像双方向通信端末は、カメラで撮影したカメラ画像を相手端末との間で送受信することによりテレビ電話通話を行う動画像双方向通信端末であって、通話者が入力操作を行うための操作キーと、複数種類の前景画を前記操作キーの種別、入力回数、又は入力順序のうち何れか一つ又はこれらの組み合わせに関連付けて記憶する記憶手段と、前記通話者が前記操作キーの入力操作を行った場合に、入力操作に対応する前景画を前記記憶手段から読み出す制御手段と、前記制御手段によって読み出された前景画と、テレビ電話通話中に前記カメラによって撮影されたカメラ画像をリアルタイム画像合成する画像合成手段と、前記操作キーが入力されてから所定時間の間に前記画像合成手段が生成する合成画像を前記相手端末に送信するとともに、前記所定時間経過後は前記カメラで撮影したカメラ画像を前記相手端末に送信する送信手段を備える。
【０００７】
本発明の動画像双方向通信端末は、カメラで撮影したカメラ画像を相手端末との間で送受信することによりテレビ電話通話を行う動画像双方向通信端末であって、通話者が入力操作を行うための操作キーと、複数種類の前景画を前記操作キーの種別、入力回数、又は入力順序のうち何れか一つ又はこれらの組み合わせに関連付けて記憶する記憶手段と、前記通話者が前記操作キーの入力操作を行った場合に、入力操作に対応する前景画を前記記憶手段から読み出す制御手段と、前記制御手段によって読み出された前景画と、テレビ電話通話中に前記カメラによって撮影されたカメラ画像をリアルタイム画像合成する画像合成手段と、前記操作キーの入力が保持されている間は前記画像合成手段が生成する合成画像を前記相手端末に送信するとともに、前記操作キーの入力が解除された後は前記カメラで撮影したカメラ画像を前記相手端末に送信する送信手段を備える。
【０００８】
本発明の動画像双方向通信端末であって、前記画像合成手段は、同一の操作キーが所定時間内に再入力された場合には、再入力以前の入力操作に対応する前景画とカメラ画像のリアルタイム画像合成を中止し、再入力操作に対応する前景画とカメラ画像のリアルタイム画像合成を行う。
【０００９】
本発明のテレビ電話システムは、発呼端末と、被呼端末と、前二者のテレビ電話通信を仲介する中継サーバと、を含むテレビ電話システムであって、前記発呼端末と前記被呼端末のうち少なくとも何れか一方は、ムービー画像を記憶する画像メモリと、前記画像メモリに記憶されたムービー画像を読み出してこれを相手端末に送信する送信手段を備え、前記中継サーバは、前記発呼端末と前記被呼端末の回線接続が確立した後に、前記発呼端末と前記被呼端末との間のテレビ電話通話に先立って、前記発呼端末と前記被呼端末のうち少なくとも何れか一方から相手端末に送信されるムービー画像を中継する。
【００１０】
本発明のテレビ電話システムは、発呼端末と、被呼端末と、前二者のテレビ電話通信を仲介する中継サーバと、を含むテレビ電話システムであって、前記発呼端末と前記被呼端末のうち少なくとも何れか一方は、ムービー画像を記憶する画像メモリと、前記画像メモリに記憶されたムービー画像を読み出してこれを相手端末に送信する送信手段を備え、前記中継サーバは、前記発呼端末と前記被呼端末の回線接続が開始されてから回線接続が完了するまでの間に、前記発呼端末と前記被呼端末との間のテレビ電話通話に先立って、前記発呼端末と前記被呼端末のうち少なくとも何れか一方から相手端末に送信されるムービー画像を中継する。
【００１１】
本発明のテレビ電話システムは、発呼端末と、被呼端末と、前二者のテレビ電話通信を仲介する中継サーバと、を含むテレビ電話システムであって、前記発呼端末と前記被呼端末のうち少なくとも何れか一方は、ムービー画像を記憶する画像メモリと、前記画像メモリに記憶されたムービー画像を読み出してこれを相手端末に送信する送信手段を備え、前記中継サーバは、前記発呼端末の発呼操作を検出してから前記発呼端末と前記被呼端末の回線接続が開始されるまでの間に、前記発呼端末と前記被呼端末との間のテレビ電話通話に先立って、前記発呼端末と前記被呼端末のうち少なくとも何れか一方から相手端末に送信されるムービー画像を中継する。
【００１２】
本発明のテレビ電話システムは、発呼端末と、被呼端末と、前二者のテレビ電話通信を仲介する中継サーバと、を含むテレビ電話システムであって、前記中継サーバは、発呼者又は被呼者によって設定された個人属性と、前記個人属性に対応した動画広告を記憶する記憶手段と、前記発呼端末と前記被呼端末との間の回線接続が完了した後に、前記発呼端末と前記被呼端末のうち少なくとも何れか一方に発呼者又は被呼者の個人属性に対応した動画広告を配信する配信手段を備える。
【００１３】
本発明のテレビ電話システムは、発呼端末と、被呼端末と、前二者のテレビ電話通信を仲介する中継サーバと、を含むテレビ電話システムであって、前記中継サーバは、発呼者又は被呼者によって設定された個人属性と、前記個人属性に対応した動画広告を記憶する記憶手段と、前記発呼端末と前記被呼端末との間の回線接続を開始してから回線接続が完了する迄の間に、前記発呼端末と前記被呼端末のうち少なくとも何れか一方に発呼者又は被呼者の個人属性に対応した動画広告を配信する配信手段を備える。
【００１４】
本発明のテレビ電話システムは、発呼端末と、被呼端末と、前二者のテレビ電話通信を仲介する中継サーバと、を含むテレビ電話システムであって、前記中継サーバは、発呼者又は被呼者によって設定された個人属性と、前記個人属性に対応した動画広告を記憶する記憶手段と、発呼操作が検出されてから前記発呼端末と前記被呼端末との間の回線接続が開始される迄の間に、前記発呼端末と前記被呼端末のうち少なくとも何れか一方に発呼者又は被呼者の個人属性に対応した動画広告を配信する配信手段を備える。
【００１５】
本発明のコンピュータプログラムは、カメラで撮影したカメラ画像を相手端末との間で送受信することによりテレビ電話通話を行う方法を動画像双方向通信端末に実行させるためのコンピュータプログラムであって、通話者が操作キーの入力操作を行った場合に、入力された操作キーの種別、入力回数、又は入力順序のうち何れか一つ又はこれらの組み合わせに関連付けて記憶する記憶手段を備えた動画像双方向通信端末に、通話者が操作キーの入力操作を行った場合に、入力操作に対応する前景画を前記記憶手段から読み出すステップと、前記操作キーが入力されてから所定時間の間に前記カメラで撮影されたカメラ画像と前記記憶手段から読み出された前景画をリアルタイム画像合成して相手端末に送信するステップと、前記所定時間経過後は前記カメラで撮影されたカメラ画像を前記相手端末に送信するステップと、を実行させるためのコンピュータプログラムである。
【００１６】
本発明のコンピュータプログラムは、カメラで撮影したカメラ画像を相手端末との間で送受信することによりテレビ電話通話を行う方法を動画像双方向通信端末に実行させるためのコンピュータプログラムであって、通話者が操作キーの入力操作を行った場合に、入力された操作キーの種別、入力回数、又は入力順序のうち何れか一つ又はこれらの組み合わせに関連付けて記憶する記憶手段を備えた動画像双方向通信端末に、通話者が操作キーの入力操作を行った場合に、入力操作に対応する前景画を前記記憶手段から読み出すステップと、前記操作キーの入力が保持されている間は前記カメラで撮影したカメラ画像と前記記憶手段から読み出された前景画をリアルタイム画像合成して相手端末に送信するステップと、前記操作キーの入力が解除された後は前記カメラで撮影されたカメラ画像を前記相手端末に送信するステップと、を実行させるためのコンピュータプログラムである。
【００１７】
本発明のコンピュータプログラムにおいて、同一の操作キーが所定時間内に再入力された場合には、再入力以前の入力操作に対応する前景画とカメラ画像のリアルタイム画像合成を中止するとともに、再入力操作に対応する前景画とカメラ画像のリアルタイム画像合成を行うステップを前記動画像双方向通信端末に実行させるのが好適である。
【００１８】
本発明のコンピュータプログラムは、発呼端末と被呼端末のテレビ電話通信を仲介する中継サーバに、前記発呼端末の発呼要求に応答して前記発呼端末と前記被呼端末の回線接続を開始するステップと、前記発呼端末と前記被呼端末の回線接続が確立した後に、前記発呼端末と前記被呼端末との間のテレビ電話通話に先立って、前記発呼端末と前記被呼端末のうち少なくとも何れか一方から相手端末に送信されるムービー画像の送信を中継するステップと、を実行させるためのコンピュータプログラムである。
【００１９】
本発明のコンピュータプログラムは、発呼端末と被呼端末のテレビ電話通信を仲介する中継サーバに、前記発呼端末の発呼要求に応答して前記発呼端末と前記被呼端末の回線接続を開始するステップと、前記発呼端末と前記被呼端末の回線接続が開始されてから回線接続が完了するまでの間に、前記発呼端末と前記被呼端末との間のテレビ電話通話に先立って、前記発呼端末と前記被呼端末のうち少なくとも何れか一方から相手端末に送信されるムービー画像の送信を中継するステップと、を実行させるためのコンピュータプログラムである。
【００２０】
本発明のコンピュータプログラムは、発呼端末と被呼端末のテレビ電話通信を仲介する中継サーバに、前記発呼端末の発呼要求を検出するステップと、前記発呼端末の発呼操作を検出してから前記発呼端末と前記被呼端末の回線接続が開始されるまでの間に、前記発呼端末と前記被呼端末との間のテレビ電話通話に先立って、前記発呼端末と前記被呼端末のうち少なくとも何れか一方から相手端末に送信されるムービー画像の送信を中継するステップと、を実行させるためのコンピュータプログラムである。
【００２１】
本発明のコンピュータプログラムは、発呼者又は被呼者によって設定された個人属性と、前記個人属性に対応する動画広告を記憶しており、発呼端末と被呼端末と間のテレビ電話通信を仲介する中継サーバに、前記発呼端末の発呼要求を検出するステップと、前記発呼要求を検出した場合に、前記発呼端末と前記被呼端末との間の回線接続が完了した後に、前記発呼端末と前記被呼端末のうち少なくとも何れか一方に発呼者又は被呼者の個人属性に対応した動画広告を配信するステップと、を実行させるためのコンピュータプログラムである。
【００２２】
本発明のコンピュータプログラムは、発呼者又は被呼者によって設定された個人属性と、前記個人属性に対応する動画広告を記憶しており、発呼端末と被呼端末と間のテレビ電話通信を仲介する中継サーバに、前記発呼端末の発呼要求を検出するステップと、前記発呼要求を検出した場合に、前記発呼端末と前記被呼端末との間の回線接続を開始してから回線接続が完了する迄の間に、前記発呼端末と前記被呼端末のうち少なくとも何れか一方に発呼者又は被呼者の個人属性に対応した動画広告を配信するステップと、を実行させるためのコンピュータプログラムである。
【００２３】
本発明のコンピュータプログラムは、発呼者又は被呼者によって設定された個人属性と、前記個人属性に対応する動画広告を記憶しており、発呼端末と被呼端末と間のテレビ電話通信を仲介する中継サーバに、前記発呼端末の発呼要求を検出するステップと、前記発呼要求を検出した場合に、発呼操作が検出されてから前記発呼端末と前記被呼端末との間の回線接続が開始される迄の間に、前記発呼端末と前記被呼端末のうち少なくとも何れか一方に発呼者又は被呼者の個人属性に対応した動画広告を配信するステップと、を実行させるためのコンピュータプログラムである。
【００２４】
本発明のコンピュータプログラムを記録するためのコンピュータ読取り可能な記録媒体として、例えば、光記録媒体（ＣＤ−ＲＡＭ、ＣＤ−ＲＯＭ、ＤＶＤ−ＲＡＭ、ＤＶＤ−ＲＯＭ、ＤＶＤ−Ｒ、ＰＤディスク、ＭＤディスク、ＭＯディスク等の光学的にデータの読み取りが可能な記録媒体）や、磁気記録媒体（フレキシブルディスク、磁気カード、磁気テープ等の磁気的にデータの読み取りが可能な記録媒体）、又はメモリ素子（ＤＲＡＭ等の半導体メモリ素子、ＦＲＡＭ等の強誘電体メモリ素子）を備えたメモリカートリッジ等の可搬性記録媒体等が好適である。
【発明の効果】
【００２５】
本発明によればカメラ画像を画像処理することにより、テレビ電話通話の演出効果をより高めることができる。
【発明を実施するための最良の形態】
【００２６】
以下、各図を参照して本発明の好適な実施形態について説明する。図１は本実施形態の動画像双方向通信端末の機能ブロック図である。動画像双方向通信端末１０はテレビ電話機能を搭載した移動通信端末装置（携帯電話等の無線携帯端末装置）であり、主に、アンテナ１１、送受信部１２、ベースバンド回路１３、画像コーデック部１４、表示部１５、入力セレクタ１６、Ａ／Ｄコンバータ１７、カメラ１８、画像メモリ１９、画像合成部２０、制御部２１、操作キー２２、データメモリ２３、音声処理部２４、スピーカ２５、入力セレクタ２６、Ａ／Ｄコンバータ２７、マイク２８、音声メモリ２９、音響合成部３０を備えて構成されている。
【００２７】
カメラ１８で撮影した映像信号はＡ／Ｄコンバータ１７によりデジタルデータに変換され、入力セレクタ１６に入力される。画像メモリ１９にはテレビ電話の演出効果を高めるためのアイコンデータ、ムービーデータ、占いムービーデータ等の各種画像データが記憶されている。これらの画像データの詳細については後述する。画像メモリ１９から読み出されたこれらの画像データは入力セレクタ１６に入力される。さらに、カメラ１８にて撮影された映像信号を変換して得られる画像データと、画像メモリ１９から読み出された画像データは画像合成部２０において画像合成された後、入力セレクタ１６に入力される。入力セレクタ１６はこれら３入力のうち何れか１つの入力データを選択して画像コーデック部１４に出力する。画像コーデック部１４は画像データを符号化してベースバンド回路１３へ出力する。尚、画像合成部２０は画像処理手段として機能するものであり、専用のハードウエアで構成してもよいが、画像処理用のソフトウエアと汎用ハードウエアとの協動によって実現してもよい。
【００２８】
一方、マイク２８に入力された送話者の音声信号はＡ／Ｄコンバータ２７によりデジタルデータに変換され、入力セレクタ２６に入力される。音声メモリ２９にはテレビ電話の演出効果を高めるためのＢＧＭなどの音声データが記憶されている。この音声データの詳細については後述する。音声メモリ２９から読み出された音声データは入力セレクタ２６に入力される。さらに、マイク２８に入力された音声信号を変換して得られる音声データと、音声メモリ２９から読み出された音声データは音響合成部３０において音響合成された後、入力セレクタ２６に入力される。入力セレクタ２６にはこれら３入力のうち何れか１つの入力データを選択して音声処理部２４に出力する。音声処理部２４は音声データを帯域圧縮等の処理を施してベースバンド回路１３へ出力する。尚、音響合成部３０は音響処理手段として機能するものであり、専用のハードウエアで構成してもよいが、音響処理用のソフトウエアと汎用ハードウエアとの協動によって実現してもよい。
【００２９】
画像コーデック部１４から出力される画像データと、音声処理部２４から出力される音声データはベースバンド回路１３に入力されてベースバンド信号に変換された後、送受信部１２にて変調され、アンテナ１１を介して通話相手の動画像双方向通信端末へ送信される。これに対し、通話相手の動画像双方向通信端末から送信された電波はアンテナ１１によって受信され、送受信部１２で復調される。復調信号はベースバンド回路１３において画像データと音声データに分離される。復調された画像データは画像コーデック部１４に供給されてデコード処理された後、表示部１５に画像表示される。同様に復調された音声データは音声処理部２４で音声処理された後、スピーカ２５から拡声出力される。制御部２１はＣＰＵ、ＲＯＭ、ＲＡＭなどを含む制御回路であり、上述したベースバンド回路１３、画像コーデック部１４、入力セレクタ１６、画像メモリ１９、画像合成部２０、音響処理部２４、入力セレクタ２６、音声メモリ２９、音響合成部３０における信号処理を制御する。
【００３０】
図２はテレビ電話システムのネットワーク構成図である。同図において、１０−１は送話者の動画像双方向通信端末、１０−２は受話者の動画像双方向通信端末、３１はＷ−ＣＤＭＡ網などのネットワーク、４０はテレビ電話通信を仲介する中継サーバである。テレビ電話システムは上述した動画像双方向通信端末１０と中継サーバ４０から構成さている。中継サーバ４０は加入者の個人属性（性別、年齢等）を動画像双方向通信端末１０の端末番号と関連付けて記憶するための顧客データベース（個人属性記憶手段）４１と、個人属性に対応したＣＭムービー（動画広告）を蓄積するＣＭデーベース（動画広告記憶手段）４２を備えている。
【００３１】
図４は上述した動画像双方向通信端末１０の外観構成図である。動画像双方向通信端末１０の表示部１５には通話相手のカメラ１８によって撮影されたカメラ画像５０が表示される。この動画像双方向通信端末１０には「上」、「下」、「左」、「右」の操作キー２２−１〜２２−４が配置されており、送話者が操作キー２２をクリックすると、クリックされた操作キー２２の種別に対応したアイコン（前景画）６０がカメラ画像５０とともに画像合成されて受話者へ送信されるように構成されている。アイコン６０はテレビ電話通話をしている通話者の「喜」、「怒」、「哀」、「楽」などの感情表現をより強調するために、又は通話者の感情表現を代弁するため等に用いられる。もとより、アイコン６０はこれらの感情表現に関連して用いられる場合に限定されるものではなく、例えば、「文字」、「図形」、「記号」などを用いて意思表示をしたり、又は、単に会話の「間」を埋めるためなどにも幅広く用いることができる。また、上述の画像合成処理に加えて、「喜」、「怒」、「哀」、「楽」などに対応した効果音を同時に出力すると、より効果的である。アイコン６０の表示形態として、例えば、「！」や「！？」などの一般的な感嘆符や絵文字などの他に、キャラクタ（人物、動物など）等を採用できる。また、カメラ画像５０としては通話者に限らず、カメラ１８によって撮影され得るあらゆる物体（人、動物、建物、景色など）の画像を含む。図５にカメラ画像５０とアイコン６０の画像合成例を示す。同図（Ａ）は画像合成前の表示画像を示しており、送話者が操作キー２２−１を１回クリック（シングルクリック）すると、同図（Ｂ）に示すように「ビックリ！」マークのアイコン６０が選択され、カメラ画像５０とともに画像合成された上で受話者の表示部に画像表示される。尚、送話者が操作キー２２−１を２回クリック（ダブルクリック）すると、「！」のアイコン６０が選択される（図４参照）。
【００３２】
図３はアイコンデータの種別とそれに対応する画像処理の内容を記述したテーブル７０である。同図に示すように、このテーブル７０には、識別番号、操作キーの種別、クリック回数、画像処理内容、アイコン種別、表示時間、音声データ、再生時間が関連付けられている。「クリック回数」の欄の数字はクリック回数を示しており、「Ｓ」はシングルクリック、「Ｄ」はダブルクリックを示している。「画像処理内容」の欄の「Ｃ」はカメラ画像５０の画像データ、「ＩＤ」はアイコン６０の画像データ、「ＣＮ」は「クリック回数−１」を示している。例えば、操作キー２２−１がシングルクリックされると、「識別番号１」の処理が実行される。「識別番号１」の処理は、アイコンデータＩＤと音声データＳＤの中から識別番号１に対応するアイコンデータＩＤ１と、音声データＳＤ１を選択し、このアイコンデータＩＤ１とカメラ画像Ｃを画像合成して０．５秒間アイコンデータＩＤ１を点滅表示するとともに、音声データＳＤ１を同時に再生するというものである。この音声データＳＤ１はカメラ画像ＣとアイコンデータＩＤ１の画像合成をより効果的に演出するために選択された効果音である。尚、アイコンデータＩＤは上述の画像メモリ１９に記憶されており、音声データＳＤは上述の音声メモリ２９に記憶されている。
【００３３】
ここではアイコン６０とカメラ画像５０を合成する例を例示するが、入力セレクタ１６の前段に画像処理部（図示せず）を設けておき、カメラ画像を画像処理するように構成してもよい。画像処理例として、例えば、カラー変換、ぼかし処理、コントラスト処理等の公知の各種の画像処理が考えられる。
【００３４】
図１１は画像合成処理ルーチンを記述したフローチャートである。本ルーチンは動画像双方向通信端末１０が通話中にある場合に所定のキー入力を検出すると、イベントドリブン式に呼び出されて実行される。制御部２１は操作キー２２のクリック操作を検出すると（ステップＳ１）、クリック回数に応じてシングルクリックかそれ以上のクリックかを判別する（ステップＳ２）。そして、テーブル７０を参照し、クリック操作が行われた操作キー２２の種別とクリック回数から識別番号を求める（ステップＳ３）。制御部２１は識別番号に対応するアイコンデータＩＤと音声データＳＤをそれぞれ画像メモリ１９、音声メモリ２９から読み出し（ステップＳ４）、これらのデータを画像合成部２０と音響合成部３０に供給する。画像合成部２０と音響合成部３０はそれぞれ識別番号に対応する画像合成処理と音声処理を施す（ステップＳ５）。入力セレクタ１６，２６はそれぞれ画像合成後の画像データ、音響合成後の音声データを選択し、画像コーデック部１４、音声処理部２４に出力する。制御部２１は上述した画像処理と音声処理（以下、両者をまとめて「機能処理」と称する）の処理中に他の操作キー入力が行われたか否かをチェックする（ステップＳ６）。他の操作キー入力がない場合には（ステップＳ６；ＮＯ）、制御部２１は既に機能処理を施した画像データ、音声データを無線信号に変調し、通話相手の動画像双方向通信端末へデータ伝送する（ステップＳ７）。ここで、全ての処理が終了したならば（ステップＳ８；ＹＥＳ）、本ルーチンを終了し、全ての処理が終了してないならば（ステップＳ８；ＮＯ）、ステップＳ５に戻る。
【００３５】
一方、他の操作キー入力があった場合には（ステップＳ６；ＹＥＳ）、当該他の操作キー入力に対応する識別番号と、機能処理中の識別番号とが同一であるか否かをチェックする（ステップＳ９）。これらの識別番号が同一でない場合には（ステップＳ９；ＮＯ）、現在処理中の機能処理を中断し（ステップＳ１０）、新たに入力された操作キー２２の種別とクリック回数に対応した機能処理を施す（ステップＳ４）。これらの識別番号が同一である場合には（ステップＳ９；ＹＥＳ）、複数回クリックに対応している機能処理であるか否かをチェックする（ステップＳ１１）。ここで、複数回クリックに対応していれば（ステップＳ１１；ＹＥＳ）、クリックされた回数に対応する機能処理を施す（ステップＳ４）。一方、複数回クリックに対応していなければ（ステップＳ１１；ＮＯ）、現在処理中の機能処理を中断し（ステップＳ１０）、新たに入力された操作キー２２の種別とクリック回数に対応した機能処理を施す（ステップＳ４）。
【００３６】
このようにテレビ電話通話の最中にカメラ画像５０とアイコン６０を画像合成して通話相手に送信することにより、通話者の「喜」、「怒」、「哀」、「楽」などの感情表現をより強調することが可能となるため、テレビ電話通話をより効果的に演出できる。また、画像合成に加えて音響処理も同時に施すことにより、より効果的な演出を可能にできる。
【００３７】
尚、上述したアイコンデータは予め画像メモリ１９、音声メモリ２９に記憶しておいてもよいが、図２に示すようにコンテンツ配信サーバ４３からダウンロードできるように構成してもよい。コンテンツ配信サーバ４３のディレクトリ構造として、例えば、図６（Ａ）に示すように、ルートディレクトリの下層に「喜」、「怒」、「哀」、「楽」、「キャラクタ」、「記号」などの種別毎に分類されたサブディレクトリを作成し、これらのサブディレクトリにアイコンデータを格納しておき、個々のアイコンデータを個別にダウンロードできるように構成できる。この他に例えば、同図（Ｂ）に示すように、各種のアイコンデータをセットとして一括的にダウンロードできるように構成してもよい。また、コンテンツ配信サーバ４３はアイコンデータを自由にデザインできるＷｅｂサイトを提供してもよい。
【００３８】
次に、テレビ電話通話の発呼時又は被呼時にムービー画像を表示する処理について説明する。上述したように、テレビ電話を掛けた場合、発呼者と被呼者との間でテレビ電話通話が可能になるにはある程度の接続時間を要する。本実施形態では通話者の映像が動画像双方向通信端末に表示される迄の時間（接続時間）を利用してムービー画像を発呼端末又は被呼端末へ送信し、テレビ電話通話の演出効果を高めている。図７は被呼端末に表示されるムービー画像の表示例を示しており、着信時の被呼端末には「ＴＶ電話着信中」の文字が表示され（同図（Ａ））、テレビ電話が掛かってきたことを報知する。ここで、被呼者がオフフック操作を行うと、発呼端末から送られてきたムービー画像が数秒間表示される（同図（Ｂ））。このムービー画像の表示後、テレビ電話画面に切り換わる（同図（Ｃ））。このムービー画像は送信者の好みに応じたものを選択することができ、例えば、ＣＭ調のムービー、映画調のムービー、アート調のムービー、アニメ漫画等のキャラクタが登場するムービー、野球チームの勝利などを祝福する目的で送信するイベント系のムービー、誕生日などを告知する目的で送信するアピール系のムービー等を利用できる。
【００３９】
図１２は発呼端末と被呼端末の相互間でムービー画像を送受信する第１の処理手順を記述したフローチャートである。発呼者がテレビ電話の発信操作を行うと（ステップＡ１０１）、中継サーバは被呼端末への接続リクエストを送出する（ステップＢ１０１）。すると、被呼端末には報知音が鳴るとともに、図７（Ａ）に示すように「テレビ電話着信中」の文字が表示される（ステップＣ１０１）。ここで、被呼者がオフフック操作を行うと（ステップＣ１０２）、中継サーバは被呼者の応答を確認し（ステップＢ１０２）、発呼端末と被呼端末の接続処理を行う（ステップＡ１０２，Ｂ１０３，Ｃ１０３）。発呼端末と被呼端末はそれぞれ接続処理が完了すると（ステップＡ１０３，Ｃ１０４）、ムービー画像を相手端末に送信するとともに、相手端末から送信されてきたムービー画像を受信し、これを再生する（ステップＡ１０４，Ｃ１０５）。このとき、入力セレクタ１６は３入力のうち画像メモリ１９から供給されるムービー画像を選択して、これを画像コーデック部１４に出力する。もとより、ムービー画像の表示と同期して音声出力を行うと演出効果をより高めることができる。ムービー画像とともに音声データを送信するには、入力セレクタ３６が３入力のうち音声メモリ２９から供給されるサウンドデータを選択して、これを音声処理部２４に出力すればよい。被呼端末と発呼端末の双方には、図７（Ｂ）に示すように、ムービー画像が表示される。
【００４０】
中継サーバは発呼端末と被呼端末相互間のムービー画像の送受信を中継するが（ステップＢ１０５）、テレビ電話通話時にカメラ１８によって撮影された映像と、ムービー画像は区別されることなくパケット化されてネットワーク３１上を通過する。このため、ムービー画像を受信する端末に専用のハードウエア又はソフトウエアが実装されていない場合であっても、ムービー画像の受信・再生が可能となる。ここでは、発呼端末と被呼端末の両者から相互に相手端末へムービー画像を送信する例を示しているが、発呼端末又は被呼端末の何れか一方から相手端末へムービー画像を送信するように構成してもよい。後述する第２の処理及び第３の処理についても同様である。さて、受信中のムービー画像が終了したならば（ステップＡ１０５，Ｃ１０６）、テレビ電話通話が可能となり、図７（Ｃ）に示すように、発呼端末と被呼端末の双方には通話相手のテレビ電話映像が表示される（ステップＡ１０６，Ｃ１０７）。制御部２１はムービー画像の送信を終えると、入力セレクタ１６，２６を制御し、カメラ１８が撮影した映像を画像コーデック部１４に供給するとともに、マイク２８が収集した音声を音声処理部２４に供給する。
【００４１】
尚、ここでは発呼者又は被呼者の端末から相互に相手端末にムービー画像を送信する場合を例示したが、本発明はこれに限られるものではなく、例えば、発呼端末から被呼端末へムービー画像を送信する一方で、中継サーバから発呼端末へＣＭムービー又は占いムービーを送信するという具合にムービー画像のコンテンツを自由に変えることもできる。ＣＭムービーと占いムービーについては後述する。もとより、ムービー画像のコンテンツはＣＭムービーや占いムービーに限られるものではない。
【００４２】
図１３は発呼端末と被呼端末の相互間でムービー画像を送受信する第２の処理手順を記述したフローチャートである。基本的な処理手順は上述した第１の処理手順と同じであるため、相違点を中心に説明する。第１の処理手順では接続処理が完了してからムービー画像を送受信していたが、この第２の処理手順では接続処理が開始されると（ステップＡ２０２，Ｂ２０３，Ｃ２０３）、接続処理と並行してムービー画像の送受信及び再生を行う（ステップＡ２０３，Ｂ２０４，Ｃ２０４）。接続処理が完了し（ステップＡ２０４，Ｂ２０５，Ｃ２０５）、さらにムービー画像の再生が終了したならば（ステップＡ２０５，Ｃ２０６）、テレビ電話通話が可能となり、発呼端末と被呼端末の双方には通話相手のテレビ電話映像が表示される（ステップＡ２０６，Ｂ２０６，Ｃ２０７）。
【００４３】
図１４は発呼端末と被呼端末の相互間でムービー画像を送受信する第３の処理手順を記述したフローチャートである。発呼者がテレビ電話の発信操作を行うと（ステップＡ３０１）、中継サーバは被呼端末への接続リクエストを送出する（ステップＢ３０１）。接続リクエストは被呼端末に着信する（ステップＣ３０１）。次いで、発呼端末と被呼端末の相互間でムービー画像の送受信が行われる（ステップＡ３０２，Ｂ３０２，Ｃ３０２）。被呼者がオフフック操作を行うと（ステップＣ３０３）、中継サーバは被呼者の応答を確認し（ステップＢ３０３）、発呼端末へ応答信号を返送する（ステップＢ３０４）。応答信号を受信した発呼端末はムービー画像を再生するとともに接続処理を開始する（ステップＡ３０３）。一方、オフフック操作を受けた被呼端末は、ムービー画像を再生するとともに接続処理を開始する（ステップＣ３０４）。中継サーバは発呼端末と被呼端末の接続処理を仲介する（ステップＢ３０５）。接続処理とムービー画像の再生は並行して行われており、接続処理が完了した場合でも（ステップＡ３０４，Ｂ３０６，Ｃ３０５）、ムービー再生が終了してない場合には（ステップＡ３０５：ＮＯ，Ｃ３０６：ＮＯ）、ムービー再生が行われる（ステップＡ３０６，Ｃ３０７）。ムービー再生が終了すると（ステップＡ３０５：ＹＥＳ，Ｃ３０６：ＹＥＳ）、テレビ電話通話が可能となり、発呼端末と被呼端末の双方には通話相手のテレビ電話映像が表示される（ステップＡ３０７，Ｂ３０７，Ｃ３０８）。
【００４４】
図１５は発呼端末と被呼端末の相互間でムービー画像を送受信する第４の処理手順を記述したフローチャートである。本処理手順ではムービー画像として、占い画像を含む占いムービーを用いる。発呼者がテレビ電話の発信操作を行うと（ステップＡ４０１）、中継サーバは被呼端末への接続リクエストを送出する（ステップＢ４０１）。接続リクエストは被呼端末に着信する（ステップＣ４０１）。発信を行った発呼端末はデータメモリ２３に記憶されたアドレス張から被呼者の個人データ（生年月日、性別、血液型、星座、出身地など）を取得し（ステップＡ４０２）、この個人データを所定の計算式に代入して占いを行う（ステップＡ４０３）。占いとしては、例えば、タロット占い、星座占い、血液型占い、くじ引きなどが好適である。次いで、占い結果を表す占いムービーを作成する（ステップＡ４０４）。この占いムービーは画像メモリ１９から入力セレクタ１６を介して画像コーデック部１４に出力される。着信を受けた被呼端末には、図８（Ａ）に示すように「ＴＶ電話着信中」の文字が表示される。ここで、被呼端末のオフフック操作が行われると（ステップＡ４０２）、中継サーバは被呼者の応答を確認し（ステップＢ４０２）、発呼端末へ応答信号を返送する（ステップＢ４０３）。発呼端末がこの応答信号を受信すると（ステップＡ４０５）、中継サーバを介して発呼端末と被呼端末の接続処理が行われる（ステップＡ４０６，Ｂ４０４，Ｃ４０３）。接続処理が完了すると（ステップＡ４０７，Ｂ４０５，Ｃ４０４）、発呼端末からは被呼端末宛てに占いムービーデータが送信される（ステップＡ４０８）。テレビ電話の演出効果をより高めるため、占いムービーとともに音声データを送信するように構成してもよい。中継サーバは発呼端末から受け取った占いムービーを被呼端末宛に送信する（ステップＢ４０６）。占いムービーを受信した被呼端末には、図８（Ｂ）に示すように占いムービーが表示される（ステップＣ４０５）。そして、予め設定した時間が経過すると（ステップＣ４０６；ＹＥＳ）、テレビ電話通話が可能となり、図８（Ｃ）に示すように、発呼端末と被呼端末の双方には通話相手のテレビ電話映像が表示される（ステップＡ４０９，Ｂ４０７，Ｃ４０７）。
【００４５】
図１６は発呼端末と被呼端末の相互間でムービー画像を送受信する第５の処理手順を記述したフローチャートである。基本的な処理手順は上述した第４の処理手順と同じであるため、相違点を中心に説明する。第４の処理手順では接続処理が完了してからムービー画像を送受信していたが、この第５の処理手順では接続処理が開始されると（ステップＡ５０６，Ｂ５０４，Ｃ５０３）、発呼端末は接続処理と並行して占いムービーの送信を行い（ステップＡ５０７）、被呼端末は占いムービーの受信及び再生を行う（ステップＣ５０４）。中継サーバは占いムービーの送信を仲介する（ステップＢ５０５）。接続処理が完了し（ステップＡ５０８，Ｂ５０６，Ｃ５０５）、さらに、被呼端末における占いムービーの再生が終了したならば（ステップＣ５０６；ＹＥＳ）、テレビ電話通話が可能となり、発呼端末と被呼端末の双方には通話相手のテレビ電話映像が表示される（ステップＡ５０９，Ｂ５０７，Ｃ５０７）。
【００４６】
図１７は発呼端末と被呼端末の相互間でムービー画像を送受信する第６の処理手順を記述したフローチャートである。発呼者がテレビ電話の発信操作を行うと（ステップＡ６０１）、中継サーバは被呼端末への接続リクエストを送出する（ステップＢ６０１）。接続リクエストは被呼端末に着信する（ステップＣ６０１）。発信を行った発呼端末は第４の処理手順と同様の処理手順で占いムービーを作成する（ステップＡ６０２〜Ａ６０４）。占いムービーが完成すると、発呼端末から被呼端末へ占いムービーが送信される（ステップＡ６０５，Ｂ６０２，Ｃ６０２）。ここで、被呼端末のオフフック操作が行われると（ステップＣ６０３）、中継サーバは被呼者の応答を確認し（ステップＢ６０３）、発呼端末へ応答信号を返送する（ステップＢ６０４）。発呼端末がこの応答信号を受信すると（ステップＡ６０６）、中継サーバを介して発呼端末と被呼端末の接続処理が行われる（ステップＡ６０７，Ｂ６０５，Ｃ６０４）。被呼端末では接続処理と並行して占いムービーの再生が行われる（ステップＣ６０４）。接続処理が完了し（ステップＡ６０８，Ｂ６０６，Ｃ６０５）、さらに、被呼端末における占いムービーの再生が終了したならば（ステップＣ６０６；ＹＥＳ）、テレビ電話通話が可能となり、発呼端末と被呼端末の双方には通話相手のテレビ電話映像が表示される（ステップＡ６０９，Ｂ６０７，Ｃ６０７）。
【００４７】
図１８は発呼端末と被呼端末の相互間でムービー画像を送受信する第７の処理手順を記述したフローチャートである。本処理手順ではムービー画像として発呼者又は被呼者の個人属性（年齢、性別など）に対応したＣＭムービーを中継サーバから発呼端末又は被呼端末へ送信することにより、広告効果を高めている。さて、発呼者がテレビ電話の発信操作を行うと（ステップＡ７０１）、中継サーバは被呼端末への接続リクエストを送出する（ステップＢ７０１）。接続リクエストは被呼端末に着信する（ステップＣ７０１）。被呼端末のオフフック操作が行われると（ステップＣ７０２）、中継サーバは応答信号を受信する（ステップＢ７０２）。すると、中継サーバを介しての発呼端末と被呼端末の接続処理が行われる（ステップＡ７０２，Ｂ７０３，Ｃ７０３）。中継サーバは顧客データベース４１を参照して、端末番号から発呼者と被呼者の個人属性を取得する（ステップＢ７０４）。次いで、中継サーバはＣＭデータベース４２を参照して、個人属性と、ＣＭムービーの属性を照合する（ステップＢ７０５）。さて、接続処理が完了すると（ステップＡ７０３，Ｂ７０６，Ｃ７０４）、中継サーバは個人属性に対応したＣＭムービーを発呼端末と被呼端末の両者へ送信する（ステップＢ７０７）。発呼端末と被呼端末のそれぞれではＣＭムービーの受信と再生処理が行われる（ステップＡ７０４，Ｃ７０５）。ＣＭムービーの再生が終了しない場合には（ステップＡ７０５；ＮＯ／Ｃ７０６；ＮＯ）、ＣＭムービーの再生が継続され（ステップＡ７０６，Ｃ７０７）、ＣＭムービーの再生が終了すると（ステップＡ７０５；ＹＥＳ／Ｃ７０６；ＹＥＳ）、テレビ電話通話が可能となり、発呼端末と被呼端末の双方には通話相手のテレビ電話映像が表示される（ステップＡ７０７，Ｂ７０８，Ｃ７０８）。
【００４８】
尚、上述の説明では中継サーバ４０が顧客データベース４１を参照して発呼者、被呼者の個人属性を取得してＣＭムービーを配信する場合を例示したが（ステップＢ７０４）、本発明はこれに限られるものではなく、例えば、発呼端末又は被呼端末から個人属性を取得してＣＭムービーを配信するように構成してもよい。後述する第８の処理手順、及び第９の処理手順についても同様に発呼端末又は被呼端末から個人属性を取得してＣＭムービーを配信するように構成してもよい。
【００４９】
図１９は発呼端末と被呼端末の相互間でムービー画像を送受信する第８の処理手順を記述したフローチャートである。基本的な処理手順は上述した第７の処理手順と同じであるため、相違点を中心に説明する。第７の処理手順では接続処理が完了してからムービー画像を送受信していたが、この第８の処理手順では中継サーバは接続処理完了を待たずにＣＭムービーを送信できる状態になった時点で発呼端末と被呼端末にＣＭムービーを送信する（ステップＢ８０６）。発呼端末と被呼端末ではＣＭムービーの受信と再生が行われる（ステップＡ８０３，Ｃ８０４）。その後、接続処理が完了し（ステップＡ８０４，Ｂ８０７，Ｃ８０５）、さらにムービー画像の再生が終了したならば（ステップＡ８０５；ＹＥＳ／Ｃ８０６；ＹＥＳ）、テレビ電話通話が可能となり、発呼端末と被呼端末の双方には通話相手のテレビ電話映像が表示される（ステップＡ８０７，Ｂ８０７，Ｃ８０８）。
【００５０】
図２０は発呼端末と被呼端末の相互間でムービー画像を送受信する第９の処理手順を記述したフローチャートである。基本的な処理手順は上述した第８の処理手順と同じであるため、相違点を中心に説明する。第８の処理手順では中継サーバは被呼端末のオフフック操作を確認してからＣＭデータベース４２からＣＭムービーを取得し、これを発呼端末と被呼端末へ送信していたが、この第９の処理手順では中継サーバは発呼要求を検出すると（ステップＢ９０１）、被呼端末のオフフック操作を確認することなく、ＣＭデータベース４２からＣＭムービーを取得し、これを発呼端末と被呼端末へ送信する（ステップＢ９０４）。発呼端末と被呼端末はＣＭムービーを受信する（ステップＡ９０２，Ｃ９０２）。次いで、中継サーバは被呼端末のオフフック操作を検出すると（ステップＢ９０５）、応答信号を発呼端末へ送信する（ステップＢ９０６）。応答信号を受信した発呼端末はＣＭムービーを再生するとともに、並行して接続処理を開始する（ステップＡ９０３）。一方、オフフック操作が行われた被呼端末ではＣＭムービーが再生されるとともに、並行して接続処理が開始される（ステップＣ９０４）。中継サーバは発呼端末と被呼端末の接続処理を仲介する（ステップＢ９０７）。接続処理完了後の処理手順は第８の処理手順と同様である。
【００５１】
図２１は発呼端末と被呼端末の相互間でムービー画像を送受信する第１０の処理手順を記述したフローチャートである。発呼端末が発呼要求をしてから、接続が完了してテレビ電話通話が可能となるまでの処理手順（ステップＡ１００１〜Ａ１００４，Ｂ１００１〜Ｂ１００４，Ｃ１００１〜Ｃ１００４）は、ムービー画像の送受信を除けば第１の処理手順と同じであるため、詳細な説明は省略する。通話中のテレビ画面は図９（Ａ）のようになる。テレビ電話通話中に例えば発呼者が保留ボタンを押下する等して通話が保留状態に設定されると（ステップＡ１００５）、保留用ムービー設定を確認する（ステップＡ１００６）。「保留用ムービー設定」とは、相手端末に送信するムービー画像の種類をフラグ等で設定することであり、例えば、スライド（例えば、写真データ）のフェードイン／フェードアウトを交互に繰り返すスライドムービーである場合にはフラグは「１」にセットされ、保留用のムービー画像である場合にはフラグは「２」にセットされる。フラグが「１」にセットされている場合には、発呼端末は中継サーバを介してスライドムービーを被呼端末へ送信する（ステップＡ１０１１，Ｂ１００７）。スライドムービーを受信した被呼端末は、図９（Ｂ）に示すようにスライドムービーを再生する（ステップＣ１００６）。
【００５２】
スライドムービーを作成するには、まず、画像メモリ１９内に記憶されている写真データＸをランダムに取得し（ステップａ）、写真データＸをムービー画像としてフェードインさせる（ステップｂ）。そして、他の写真データＹをランダムに取得し（ステップｃ）、この写真データＹをフェードインする一方で写真データＸをフェードアウトさせる（ステップｄ）。以下、ステップｃとステップｄを交互に繰り返すことで、写真データを次々にフェードイン／フェードアウトさせることができる。スライドムービーの送信処理は保留が解除されるまで続く（ステップＡ１０１２；ＮＯ）。保留が解除されると（ステップＡ１０１２；ＹＥＳ）、発呼端末は中継サーバに保留解除要求を行う（ステップＡ１００９）。保留解除要求を受信した中継サーバは回線を保留状態から通話状態へ復帰させる（ステップＡ１０１０，Ｂ１００９，Ｃ１００７）。一方、フラグが「２」に設定されている場合には、発呼端末は保留用ムービーとして予め用意されているムービーデータを中継サーバを介して被呼端末へ送信する（ステップＡ１００７，Ｂ１００７）。保留用ムービーを受信した被呼端末は保留用ムービーを再生する（ステップＣ１００６）。保留用ムービーの送信処理は保留が解除されるまで続く（ステップＡ１００８；ＮＯ）。
【００５３】
図２２は発呼端末と被呼端末の相互間でムービー画像を送受信する第１１の処理手順を記述したフローチャートである。発呼端末が発呼要求をしてから、接続が完了してテレビ電話通話が可能となるまでの処理手順（ステップＡ１１０１〜Ａ１１０４，Ｂ１１０１〜Ｂ１１０５，Ｃ１１０１〜Ｃ１００５）は、上述した第１０の処理手順と同じであるため、詳細な説明は省略する。通話中のテレビ画面は図１０（Ａ）のようになる。テレビ電話通話中に例えば発呼者が保留ボタンを押下する等して通話が保留状態に設定されると（ステップＡ１１０５）、中継サーバへ保留リクエスト信号が送信される。中継サーバは保留リクエスト信号を受信すると（ステップＢ１１０６）、顧客データベース４１を参照して、発呼者と被呼者の個人属性を取得する（ステップＢ１１０７）。次に、ＣＭデータベース４２を参照して、個人属性とＣＭムービーの属性の照合を行い（ステップＢ１１０８）、個人属性に対応したＣＭムービーを送信する（ステップＢ１１０９）。ここでは発呼者と被呼者のそれぞれにＣＭムービーを送信する構成としたが、何れか一方にＣＭムービーを送信してもよい。また、発呼者へ送信されるＣＭムービーと被呼者へ送信されるＣＭムービーは個人属性に応じて異なるものが好ましい。ＣＭムービーを受信した発呼端末と被呼端末では、図１０（Ｂ）に示すようにＣＭムービーの再生が行われる（ステップＡ１１０６，Ｃ１１０６）。保留が解除された場合には（ステップＡ１１０７；ＹＥＳ）、保留解除要求信号が中継サーバへ送信される（ステップＡ１１０８）。中継サーバが保留解除信号を受信することにより（ステップＢ１１１０）、回線は保留状態から通話状態へ復帰する（ステップＡ１１０９，Ｂ１１１１，Ｃ１１０７）。
【００５４】
以上、説明したように本実施形態によれば、テレビ電話通話中に撮影されたカメラ画像を画像処理して相手端末に送信することにより、通話者の感情表現などを強調したりすることができ、会話のアクセント等に利用できる。また、発呼端末と被呼端末を回線接続してテレビ電話通話可能な状態になるまでの接続時間を利用してムービー画像などを送信することにより、テレビ電話の演出効果を高めることができる。さらに、発呼者又は被呼者の個人属性に対応したＣＭムービーを発呼端末又は被呼端末に送信することにより、広告効果を高めることができる。
【図面の簡単な説明】
【００５５】
【図１】テレビ電話機機能を搭載した動画像双方向通信端末のハードウエア構成図である。
【図２】テレビ電話システムのネットワーク構成図である。
【図３】アイコンデータの種別と画像処理内容を対応付けたテーブルである。
【図４】操作キーとアイコンデータの対応図である。
【図５】アイコンとカメラ画像の画像合成例を示す図である。
【図６】アイコンデータの説明図である。
【図７】イントロムービーの説明図である。
【図８】イントロムービーの説明図である。
【図９】保留ムービーの説明図である。
【図１０】保留ムービーの説明図である。
【図１１】画像合成処理ルーチンを記述したフローチャートである。
【図１２】テレビ電話通信のフローチャートである。
【図１３】テレビ電話通信のフローチャートである。
【図１４】テレビ電話通信のフローチャートである。
【図１５】テレビ電話通信のフローチャートである。
【図１６】テレビ電話通信のフローチャートである。
【図１７】テレビ電話通信のフローチャートである。
【図１８】テレビ電話通信のフローチャートである。
【図１９】テレビ電話通信のフローチャートである。
【図２０】テレビ電話通信のフローチャートである。
【図２１】テレビ電話通信のフローチャートである。
【図２２】テレビ電話通信のフローチャートである。
【符号の説明】
【００５６】
１０…動画像双方向通信端末  ３１…ネットワーク  ４０…中継サーバ  ４１…顧客データベース  ４２…ＣＭデータベース  ４３…コンテンツ配信サーバ
【図１】
2005079882.tif 000003
【図２】
2005079882.tif 000004
【図３】
2005079882.tif 000005
【図４】
2005079882.tif 000006
【図５】
2005079882.tif 000007
【図６】
2005079882.tif 000008
【図７】
2005079882.tif 000009
【図８】
2005079882.tif 000010
【図９】
2005079882.tif 000011
【図１０】
2005079882.tif 000012
【図１１】
2005079882.tif 000013
【図１２】
2005079882.tif 000014
【図１３】
2005079882.tif 000015
【図１４】
2005079882.tif 000016
【図１５】
2005079882.tif 000017
【図１６】
2005079882.tif 000018
【図１７】
2005079882.tif 000019
【図１８】
2005079882.tif 000020
【図１９】
2005079882.tif 000021
【図２０】
2005079882.tif 000022
【図２１】
2005079882.tif 000023
【図２２】
2005079882.tif 000024